(57)【要約】【課題】釣竿を小舟の舟縁に迅速かつ信頼性高く保持させることができると共に、必要時には迅速に取り外しのできる舟釣用釣竿を提供する。【解決手段】ハンドル部５０が、釣竿の長手方向の前後位置に対向配設された前脚３０Ｌと後脚４０Ｌとを使用して舟縁を弾性的に挟持して釣竿を保持する弾性挟持手段３０，４０を具備するよう構成する。【選択図】図１
2011010558.tif 000002
【特許請求の範囲】
【請求項１】
ハンドル部が、釣竿の長手方向の前後位置に対向配設された前脚と後脚とを使用して舟縁を弾性的に挟持して釣竿を保持する弾性挟持手段を具備することを特徴とする舟釣用釣竿。
【請求項２】
前記前脚と後脚の内の、少なくとも一方の脚の、脚同士の対向面側が弾力性部材で形成されている請求項１記載の舟釣用釣竿。
【請求項３】
釣竿のハンドル部を舟縁に装着させる際に、前記前脚と後脚の内の少なくとも一方の脚が他方の脚の方向に付勢されるよう、ばね部材が配設されている請求項１又は２記載の舟釣用釣竿。
【請求項４】
前記弾性挟持手段が、前記前脚を有する前部と前記後脚を有する後部とに分割されており、該前部と後部の内の少なくとも一方が他方に対して釣竿長手方向に移動可能であって適宜位置で保持でき、この移動で前脚と後脚との間隔を調整可能な請求項１〜３の何れか１記載の舟釣用釣竿。
【請求項５】
前記前脚と後脚との間隔を調整可能な操作部がハンドル部外側に設けられており、ハンドル部を把持した手で前記操作部の操作が可能である請求項１〜４の何れか１記載の舟釣用釣竿。
【請求項６】
前記前脚と後脚の内の少なくとも一方の脚の、脚同士の対向面側に舟縁への係止凸部を設けている請求項１〜５の何れか１記載の舟釣用釣竿。
【請求項７】
前記前脚と後脚の内の、少なくとも一方の脚の、脚同士の対向面側が弾力性部材で形成されており、前記係止凸部が複数個設けられており、脚の最も先端部側の係止凸部が最も大きく突出し、その他は相対的に突出量が小さい請求項６記載の舟釣用釣竿。
【発明の詳細な説明】
【技術分野】
【０００１】
本発明は舟釣用釣竿に関し、特にワカサギやハゼやキス等、小舟に乗って釣りを行う際に釣竿を舟縁に保持させる工夫のある舟釣用釣竿に関する。
【背景技術】
【０００２】
従来、ワカサギ釣りの釣竿は、手で把持しているか、又は釣用氷穴の周囲近くに載置して釣りを行うことが一般的であった。即ち、釣竿を載置したり、手で把持して釣り操作したりを繰り返す。載置を考え、下記特許文献１では釣竿をバケツ等の収納容器に固定させる工夫をした釣竿が開示されている。これは釣竿把持部（グリップ部、ハンドル部）の下側に釣竿支持台を設け、これに複数の細溝状凹部を設け、この凹部を収納容器の縁部に差し込んで固定させる。この細溝状凹部は幅狭のバケツ等の嵌合には適すると思われる。また、特許文献２には、ねじを使用した脚部で舟縁を挟み込む構造が開示されている。
【特許文献１】特開２００３−２３５４０５号公報
【特許文献２】実開平４−１００３９１号公報
【発明の開示】
【発明が解決しようとする課題】
【０００３】
然しながら、近年、冬場においても釣り場の湖が必ずしも凍らず、屋形船や小舟を浮かべてワカサギ釣りを行うことが多くなった。特に小舟で釣りを行う際には、釣竿を安定して載置保持することは簡単ではない。上記特許文献２のような構造で釣竿を載置保持させることは迅速にはできないと共に、所望時に釣竿を迅速に取り外すこともできなくなる。また、舟縁を挟み込む取り付け作業が甘くなると釣竿が不用意に外れて水中に落下する危険性が潜んでいる。一方、前記特許文献１記載の凹部と同様な構造で保持させる場合では、保持作業は簡便ではあるが、装着隙間の存在により釣竿が舟縁から容易に脱落して釣竿を水中に紛失し易い。
依って解決しようとする課題は、釣竿を小舟の舟縁に迅速かつ信頼性高く保持させることができると共に、必要時には迅速に取り外しのできる舟釣用釣竿を提供することである。
【課題を解決するための手段】
【０００４】
上記課題に鑑みて第１の発明は、ハンドル部が、釣竿の長手方向の前後位置に対向配設された前脚と後脚とを使用して舟縁を弾性的に挟持して釣竿を保持する弾性挟持手段を具備することを特徴とする舟釣用釣竿を提供する。
第２の発明では、第１の発明の前記前脚と後脚の内の少なくとも一方の脚の、脚同士の対向面側が弾力性部材で形成されているよう構成する。
第３の発明では、第１又は第２の発明の釣竿のハンドル部を舟縁に装着させる際に、前記前脚と後脚の内の少なくとも一方の脚が他方の脚の方向に付勢されるよう、ばね部材が配設されている。
【０００５】
第４の発明では、第１〜第３の発明の前記弾性挟持手段が、前記前脚を有する前部と前記後脚を有する後部とに分割されており、該前部と後部の内の少なくとも一方が他方に対して釣竿長手方向に移動可能であって適宜位置で保持でき、この移動で前脚と後脚との間隔を調整可能に構成する。
第５の発明では、第１〜第４の発明の前記前脚と後脚との間隔を調整可能な操作部がハンドル部外側に設けられており、ハンドル部を把持した手で前記操作部の操作が可能である。
【０００６】
第６の発明では、第１〜第５の発明の前記前脚と後脚の内の少なくとも一方の脚の、脚同士の対向面側に舟縁への係止凸部を設けているよう構成する。
第７の発明では、前記前脚と後脚の内の少なくとも一方の脚の、脚同士の対向面側が弾力性部材で形成されており、第６の発明の前記係止凸部が複数個設けられており、脚の最も先端部側の係止凸部が最も大きく突出し、その他は相対的に突出量が小さい。
【発明の効果】
【０００７】
第１の発明では、弾性挟持手段の有する前脚と後脚とで舟縁を弾性的に挟持させるため、迅速に可能であって、装着部は舟縁に当接するため当接隙間のガタは無く安定し、釣竿（のハンドル部）が舟縁から容易には離脱し難い。また、挟持力は弾性力であるため、必要時には所定の力を作用させれば迅速に取り外すことができる。
第２の発明では、少なくとも一方の脚の、脚同士の対向面側が弾力性部材で形成されているため、この脚の弾力性部材部分を舟縁に押しつければその反発弾性力で舟縁を安定して挟持でき、離脱し難い。
第３の発明では、ばね部材の力で脚を舟縁に押し付けるため、舟縁を安定して挟持でき、離脱し難い。
【０００８】
第４の発明では、前部と後部の内の少なくとも一方が他方に対して釣竿長手方向に移動可能で適宜位置で保持でき、両脚の間隔を調整できるため、舟縁の幅サイズの変動に対応し易い。
第５の発明では、ハンドル部を把持した手で前脚と後脚との間隔を調整可能な操作部の操作が可能であるため、非常に簡便に舟縁の幅に対応できる。
【０００９】
第６の発明では、少なくとも一方の脚の、脚同士の対向面側に係止凸部を設けているため、舟縁に装着する際には、この係止凸部が舟縁に強く当たって、挟持する弾性力に抗して脚を押し広げつつ強固に舟縁を挟持できる。
第７の発明では、舟縁に対して装着する際には、まず最も突出量の大きな脚の先端部側係止凸部が舟縁に当接しつつ、挟持する弾性力に抗して脚を押し広げると共に、この突出量の大きな係止凸部が舟縁への押圧作用で潰れたりしつつ変形して舟縁装着時の抜け止め作用を成し、最も突出量の大きなこの係止凸部の変形次第で、その他の突出量の小さな係止凸部も舟縁に対する滑り止め作用を果たし、これらの作用で釣竿（のハンドル部）は舟縁に強固に保持される。
【発明を実施するための最良の形態】
【００１０】
以下、本発明を添付図面を用いて更に詳細に説明する。図１は本発明に係る第１形態実施例の釣竿の全体側面図であって、適宜な台座１０の上に載置した状態であり、図２は図１の釣竿を正面から視認した図、図３は図１の釣竿のハンドル部を小舟の舟縁１２に装着した状態の側面図、図４はハンドル部を舟縁の図３とは異なる位置に装着した状態の側面図、図５は図１〜図４の釣竿のハンドル部の縦断面図である。
【００１１】
釣竿のハンドル部５０は、ハンドル先部３２と、弾性挟持手段の構成要素としての前部３０と後部４０とを具備している。前部３０は、後述の竿杆２０の延伸線上にある基部３０Ｍと、該基部から下方に延伸した前脚３０Ｌとを有している。後部４０は、竿杆２０の延伸線上にある基部４０Ｍと、該基部から下方に延伸した後脚４０Ｌとを有している。この例では、各脚３０Ｌ，４０Ｌは各基部３０Ｍ，４０Ｍと共にゴム部材や発泡性部材を含むばねのような弾力性のある合成樹脂材（通常構造材を除く）等の弾力性部材で形成されている。前脚３０Ｌと後脚４０Ｌとが互いに対向する各脚の内側面（対向面）は、各基部に近づくに従って互いの内側面が近寄るように、曲線または直線状に傾斜している。この各脚の内側面間の空間に舟縁を侵入させて挟持する。ハンドル先部３２は前部３０の基部３０Ｍの先部に対して、左右方向に延伸した枢軸３６周りに回動可能に装着されている。また、この第１実施形態例では前部と後部とが分割形成されているが、一体であってもよい。
【００１２】
このハンドル先部３２の先部分に竿杆２０の元部が挿入、装着されている。ここは着脱自在でも固定でもよい。ハンドル先部の上面にはリールＲを装着させるリール装着装置２２が設けられており、これに保持されたリールから釣竿の釣糸ガイドＧを通して釣糸２４が引き出されている。後部４０にはロープ６０が装着されており、台座１０との間をこのロープで連結させており、万一釣竿が台座から落下しても紛失しないように配慮されている。これは以下の他の実施形態例でも同様である。また、この例のリールＲは、手で回動操作して釣糸を巻き取る方式であるが、電動式にし、適宜位置に設けたスイッチを操作して釣糸を駆動する方式でもよい。
【００１３】
図２を参照して分かるように、前脚３０Ｌは、正面視において左右２つに分かれており、Ｙ字を逆さにした形状と言える。即ち、基部３０Ｍに対して前脚３０Ｌは基部３０Ｍよりも左右幅が広くなるように構成されている。この例では先部に行くに従って左右幅が広がるように構成されている。従って、台座１０に載置したり、舟縁１２に装着した際に、ハンドル部や釣竿が安定する。後脚４０Ｌも同様であり、ハンドル部全体は四足動物のような形状である。
【００１４】
前脚３０Ｌと後脚４０Ｌの各対向面（内側面）側には、共に相手側に向かって突出した係止凸部Ｔ１，Ｔ２が形成されている。各脚の先端部の係止凸部Ｔ１が最も突出量が大きく、その他の係止凸部Ｔ２は突出量が小さい。係止凸部Ｔ２は先細状に形成されており、より変形し易い。係止凸部Ｔ１は側面視においてその先部が半円状のように丸められており、ハンドル部の下側の脚（脚間の開口）を図３に図示するように小舟の舟縁１２等に差し込んで装着させる際に、円滑に可能となる。即ち、両脚の係止凸部Ｔ１間は、前記半円の下側（半分）がその下端側ほど広い開口状態であるため、これがガイドの作用をしてハンドル部を舟縁の上方から押し込み易い。押し込む際、各脚はその弾性力に抗して互いが離隔するように開き変形する。
【００１５】
このワンタッチ式の押し込み作業によって互いの間隔が広がった両脚の係止凸部Ｔ１によって舟縁１２を弾性力によって挟持して釣竿（のハンドル部）を安定して保持できる。また、所望時に取り外す場合、両脚の係止凸部Ｔ１間は、前記半円の上側（半分）がその上端側ほど広い開口状態であるため、これがガイド作用をしてハンドル部を上方に引き抜く操作が円滑、迅速になる。図３に示すように、ハンドル部を舟縁に差し込んだ場合に、他の係止凸部Ｔ２よりも大きく突出している両係止凸部Ｔ１は、互いに離隔する方向に押し広げられるように変形すると共に、潰れ変形もし、移動止めや抜け止めとなる。
【００１６】
また、この変形により、他の係止凸部Ｔ２も舟縁に当接し易くなる。更には、各脚の内側面（対向面）は、各基部に近づくに従って互いの内側面が近寄るように曲線または直線状に傾斜しているため、舟縁の幅が少し小さめでも、ハンドル部を深く押し込めば深い位置の係止凸部Ｔ２も舟縁に当接して抜け止め用に滑り止め作用を果たす。従って、係止凸部Ｔ２は、係止凸部Ｔ１と基部３０Ｍ，４０Ｍの間に亘る広い範囲に分散して設けていることが好ましい。
以上から、係止凸部Ｔ１の先部側面視形状は必ずしも半円状でなくても、例えば、三角形状等のように、下側部分と上側部分とが概ね対称な方向に傾斜すればよいことが分かるであろう。この対称とは、２つの傾斜の方向を述べるためのものであり、厳密な意味ではない。
【００１７】
図３は舟縁１２の上方からハンドル部の脚を装着させて釣竿を水平状態に保持させた場合であるが、図４は舟の内側から舟縁に横方向から装着させて釣竿を上方に向けて装着させている。この場合、前部３０の前脚３０Ｌの係止凸部Ｔ１は図３の場合と同様な作用をするが、後部４０の後脚４０Ｌの係止凸部Ｔ１は、差し込み操作の最初は案内作用をするが、この例の舟縁１２は下側に壁面が無いため、深く差し込むと図４に示すように後脚の係止凸部Ｔ１は舟縁から外れるが、後脚４０Ｌの内側面はその基部４０Ｍに近づくに従って前脚３０Ｌ側に近づくよう湾曲しているので、低い方の他の係止凸部Ｔ２の何れかに係止する状態となる。従って、この例では、前脚３０Ｌの係止凸部Ｔ１と後脚４０Ｌの係止凸部Ｔ２とが舟縁１２に当たった状態で舟縁を挟持している。
【００１８】
枢軸３６を介して基部３０Ｍの先部に取り付けられているハンドル先部３２は、摘み部３４を摘んで回動操作することで緩み、図４に示すように竿杆２０を前方に倒して水平状態にさせることができる。この水平状態を保持した状態で、摘み部３４を回動操作してハンドル先部３２を基部３０Ｍの先部に固定保持できる。
【００１９】
図５は、ハンドル部５０の前脚と後脚との間隔、又は前脚の係止凸部Ｔ１と後脚の係止凸部Ｔ１との間隔を調節するための機構を内在した状態を示すが、こうした機構が無い形態もある。前部３０の基部３０Ｍの中央部に前後方向に雌ねじ部３０Ｈが設けてあり、これに雄ねじ部を設けたねじ軸３８が螺合している。また、後部４０の基部４０Ｍの中央部には前後方向の孔４０Ｈが貫通しており、この貫通孔に前記ねじ軸の延長部３８Ｅが緩い状態で挿通している。基部４０Ｍの後方に露出した延長部の先端部に摘み３９が装着されている。更には、前部３０の基部３０Ｍと後部４０の基部４０Ｌとの対向部は、この例では基部３０Ｍ側にシリンダ状の穴が設けられており、基部４０Ｍ側にピストン部が設けられ、互いにシリンダ・ピストン状の嵌合関係を形成している。しかし、緩い嵌合状態でよい。ねじ軸３８はピストン部の先端面に係合しており、後部４０とねじ軸３８は相対回転のみが可能である。
【００２０】
これにより摘み３９を摘んでねじ軸を回転操作すると、雄ねじ部と雌ねじ部との螺合関係によって前部と後部との間隔、即ち、前脚と後脚との間隔、或いは前脚の係止凸部Ｔ１と後脚の係止凸部Ｔ１との間隔を調整でき、舟縁の幅の大小に対応し易い。なお、雌ねじ部３０Ｈを形成するためには、基部３０Ｍはゴム等の弾力性の大きな弾力性部材ではなくて、塩化ビニル樹脂等の、通常、構造用に使用するプラスチック等の通常構造材で形成されていることが好ましい。従って、こうした通常構造材で形成した基部の本体部に対して、ゴム等の弾力性部材を鋳込めば、表面が弾力性部材で覆われた基部を形成すると共に、脚をその基部に対して連続するように形成できる。
【００２１】
図６は図５の変形例としての第２実施形態例を示す。図１〜図５では、ハンドル部５０の前部３０と後部４０とは共に全体が弾力性部材で形成されていたが、図６は、上記のように、雌ねじ部の形成し易さ等を考慮して、基部３０Ｍ，４０Ｍと各脚の本体部を上記通常構造材で形成し、各脚３０Ｌ，４０Ｌの互いに対向する側（内側）を弾力性部材で形成している。即ち、係止凸部Ｔ１や他の係止凸部Ｔ２とその周辺部を弾力性部材で形成し、ハンドル部５０を舟縁に装着させた際に、この弾力性部材部分のみの弾性変形による弾性力によって安定して保持させることができる。
【００２２】
図７は第３実施形態例のハンドル部を有する釣竿側面図を示し、図８はその構成要素である前部３０の装着状態を示す正面図であり、図９は前部単品の正面視による図である。図１等の第１実施形態例との相違を主に説明する。通常構造材で形成されたハンドル先部３２の後方延長杆部３２’に対して、弾力性部材で形成された前部３０と後部４０とが、抜き取り可能に装着されている。前部３０はその基部３０Ｍの中央部に前後方向に貫通した貫通孔３０Ｂが設けられている。この貫通孔に前記後方延長杆部３２’を挿通させている。この例の貫通孔は図９に示すように星形をしており、孔壁が凹凸状態である。この孔壁の凹部の存在のため、後方延長杆部に対する長手方向移動が容易であり、また、所定位置に保持する際には孔壁の凸部の適宜な弾性押圧力が作用して保持が安定する。
【００２３】
図９に示すように、前脚３０Ｌの正面視における形状説明の基部３０Ｍ等に対する説明事項は図２を参照して説明した形態と同様である。
以上の前部３０に対する説明は、後部４０に対しても同様である。従って、前部と後部の離隔距離の調節は、何れか一方を手で移動させて行うことができる。また、係止凸部Ｔ１やその他の係止凸部Ｔ２、その他の事項に関してはこれまでの実施形態例と同様である。
【００２４】
図１０は第４実施形態例のハンドル部を有する釣竿側面図を示す。主に第１実施形態例と相違する事項を説明する。この例では、少なくとも前脚３０Ｌが弾力性部材で形成されていればよい。前部３０の基部３０Ｍの先部にＬ字状の操作体３８を配設し、これには基部３０Ｍの上面に当接する支持部３８Ｓと、上端部の操作部３８Ａとを設けており、下端部であるＬ字先端部は前脚３０Ｌの下端部付近に固定されている。ハンドル部５０の基部３０Ｍ（，４０Ｍ）を把持した手の親指等の指で操作部３８Ａを手前に引くようにして操作体３８を倒そうとすれば、支持部３８Ｓが基部３０Ｍの上面に当たって支点となり、操作体の下端部が前脚３０Ｌの下端部付近を前方に向けて強制的に引いて曲げ変形させ、ハンドル部を舟縁１２へ差し込むことを容易にさせる。
【００２５】
図１１は第５実施形態例のハンドル部５０を有する釣竿側面図を示す。図１の形態例とも比較できるが、ここでは図７の形態例と比較し、主に相違点を説明する。前部３０と後部４０とは通常構造材で形成されており、それ自体では撓み変形等をしない。そこで、夫々の基部３０Ｍ，４０Ｍを後方延長杆部３２’所定位置に設けられて左右方向に延伸した枢軸５２，５２’に回動可能に取り付け、この回動によって前脚と後脚の間隔が変化する。また、各枢軸回りには、一端部が前部３０（後部４０）に係止したへの字状のばね部材３１，４１が設けられており、前部３０や後部４０を各脚間隔が離隔する方向に回動させると、その回動に抗して脚間隔を小さくさせる方向に戻し付勢するように設けている。本願の弾性挟持手段は、これらのばね部材３１，４１と前部３０と後部４０を含んでいる。
【００２６】
各基部の上側には操作部３０Ａ，４０Ａが突設されており、人の指でこれらを操作して前脚３０Ｌ又は／及び後脚４０Ｌを回動させて両脚間隔（或いは係止凸部Ｔ１間隔ともいえる）を調節できる。こうして脚３０Ｌ，４０Ｌで舟縁１２を挟持するように差し込み易くできる。この回動操作は各操作部を個別に操作することもできるが、両操作部に架設する連結操作部５４を設け、この連結操作部が板ばねのような撓み変形可能な部材であれば、ハンドル部所定位置の握持操作によって連結操作部が下方に撓むことによって、各脚間隔が広がる方向に前後の操作部を一度に操作できる。
【００２７】
なお、操作部を操作することなく、ハンドル部５０をそのまま舟縁１２に向けて下方に押し込んでも、各脚はばね力に抗して互いに離隔する方向に広げられつつ舟縁を挟持できる。更には、上記説明では、前部３０と後部４０は通常構造材で形成されていたが、ゴム等の弾力性部材で形成し、脚の部材の弾性変形とばね部材の付勢力の両方の作用で舟縁を挟持させてもよい。
【産業上の利用可能性】
【００２８】
本発明は、ワカサギやハゼやキス等の舟釣用の釣竿に利用できる。
【図面の簡単な説明】
【００２９】
【図１】図１は本発明に係る釣竿の全体側面図である。
【図２】図２は図１の釣竿を正面から視認した図である。
【図３】図３は図１の釣竿ハンドル部を舟縁に装着した状態の側面図である。
【図４】図４はハンドル部を図３とは異なる舟縁位置に装着した状態の側面図である。
【図５】図５は図１〜図４の釣竿ハンドル部の縦断面図である。
【図６】図６は図５の変形例としての第２実施形態例のハンドル部を示す縦断面図である。
【図７】図７は第３実施形態例のハンドル部を有する釣竿側面図である。
【図８】図８は図７のハンドル部構成要素である前部の装着状態を示す正面図である。
【図９】図９は図８の前部部品の正面視による図である。
【図１０】図１０は第４実施形態例のハンドル部を有する釣竿側面図である。
【図１１】図１１は第５実施形態例のハンドル部を有する釣竿側面図である。
【符号の説明】
【００３０】
１２                      舟縁
２０                      竿杆
３０                      前部
３０Ｌ                    前脚
３０Ｍ                    基部
３１                      ばね部材
３２                      ハンドル先部
４０                      後部
４０Ｌ                    後脚
４０Ｍ                    基部
４１                      ばね部材
５０                      ハンドル部
Ｔ１                      係止凸部
Ｔ２                      他の係止凸部
【図１】
2011010558.tif 000003
【図２】
2011010558.tif 000004
【図３】
2011010558.tif 000005
【図４】
2011010558.tif 000006
【図５】
2011010558.tif 000007
【図６】
2011010558.tif 000008
【図７】
2011010558.tif 000009
【図８】
2011010558.tif 000010
【図９】
2011010558.tif 000011
【図１０】
2011010558.tif 000012
【図１１】
2011010558.tif 000013